(57)【要約】【課題】操作時間、労力、コスト等を低減する共に、使用上の利便性を向上した立体転写機の構造。【解決手段】転写フィルム投入台１０のスクラッチバーホルダー１２にスクラッチバーを設けて自動的に昇降するよう構成し、該投入台に接して配置した処理水槽２０に、被加工物投入装置３０を設け、その底部には水槽に沿って走行するための滑車３２を設けることにより操作にかかる所要時間と労力を省き、また該被加工物投入装置３０を昇降並びに左右前後の異なる方向への角度調整ができるよう構成する。【選択図】        図１
0003102876.tif 000002
【実用新案登録請求の範囲】
【請求項１】
フィルム投入台と、ベルトコンベアと、水槽と、被加工物投入装置と、第一転向座と、第二転向座と、より構成される立体転写機の構造において、
転写フィルムを圧制して前進させるべく水平状のローラが複数組設けられており、且つ該ローラの片側にはスクラッチバーホルダを上下に昇降させてスクラッチバーの高さを調整し、下方より通過する該転写フィルムと適合して接触させるべく液圧シリンダ或いは気圧シリンダが設けられる該フィルム投入台と、
該転写フィルムを運んで前進させ、該スクラッチバーの位置を通過させて水槽中に進入させるべく、該スクラッチバーのもう片側に設けられる該ベルトコンベアと、
該転写フィルムを内部に進入させるべく該ベルトコンベアの片側に設けられ、且つ上部周囲には突起した形状のレールがもうけられる水槽と、
周縁には円周運動をする被加工物ベルトコンベアが設けられることにより、該ベルトコンベア上にかけられた被加工物を運んで順に該水槽中に進入させると共に該転写フィルムの転写加工操作を受け、
また下方には該レールに対応した形状の滑車を具有する滑車フレームが設けられることにより、該滑車により該水槽のレール上にて自由に往復できるようになり、
更に該滑車フレーム上方には上下に昇降する昇降台が設けられ、相互間に複数の同時に回転するボルトが設けられると同時に操作棒によって回転されるチェーンの動きを受けてこれらが同時に回転する
該被加工物投入装置と、
該昇降台上に固定され、第一調整棒で左右方向に往復して動くことで角度が調整される該第一転向座と、
該第一転向座上に設置され、第二調整棒によって前後方向に往復して移動することで角度が調整され、即ち該第一転向座と交差する方向で角度が調整され、且つ上方には該被加工物投入装置が連動するべく更に該被加工物投入装置と相互に固定される連結部が延伸する該第二転向座と、
を具有することを特徴とする立体転写機の構造。
【請求項２】
該水槽上にはメジャーが付設されていることを特徴とする請求項１記載の立体転写機の構造。
【考案の詳細な説明】
【技術分野】
【０００１】
本考案は立体転写機の構造に係り、特に転写フィルム投入台上のスクラッチバーが自動的に昇降するようデザインされており、被加工物投入装置底部に滑車が設けられていることにより直接水槽上部にて移動ができるため操作及びメンテナンスが容易となっており、また該被加工物投入装置においては上下の昇降及び左右前後の異なる方向への傾斜角度調整ができる立体転写機の構造に関わる。
【背景技術】
【０００２】
公知における立体転写機とは、転写フィルムを投入台より提供し、還元剤が付着したスクラッチバーで圧力を掛けながらスクラッチした後、人の力により被加工物にまで移動移動し、浸水処理を経た後、図案が被加工物上に転写されるものである。
【考案の開示】
【考案が解決しようとする課題】
【０００３】
しかし上述のような公知における技術では、人の力に頼る部分が多いため効率が悪くコストも高くなっており、加工品の品質においても優れているとは言い難い。またスクラッチバーには還元剤が付着しており、転写フィルムと接触することにより磨耗及び汚れが目立つようになり、その都度メンテナンスが必要であること。更に該スクラッチバーは昇降機能を具有せず、且つ高い位置に設けられていることから、該転写フィルムを正しくセットするにはやはり人が行うしかない、などの欠点がある。
そこで上述の欠点に鑑み、操作にかかる時間、労力、コスト等を省くと同時に、使用上の便利性を高めるべく本考案の立体転写機の構造を提供する。
【課題を解決するための手段】
【０００４】
転写フィルム投入台のスクラッチバーを自動で昇降するよう設計し、被加工物投入装置底部には更に滑車を設けることで操作にかかる時間と労力を省き、また該被加工物投入装置を昇降並びに左右前後の異なる方向への角度調整ができるよう設計する。
【考案の効果】
【０００５】
本考案によると、スクラッチバーが自動で昇降することで高度の調整及びメンテナンスが便利になったこと、並びに被加工物投入装置は被加工物の形状や体積の違いに応じて上下の高度及び左右前後の異なる方向の傾斜角度の調整を行うのが便利になったことで製造におけるコストダウンが達成されたこと、更には転写のプロセスが完全に自動化され、且つ被加工物投入装置は下方の滑車フレームと水槽最上部にそれぞれ設けられた滑車及びレールにより、被加工物投入装置が水槽上で移動するのに必要な力が小さくなったこと、並びにメジャーの設置により距離の正確さが高められたなど、多数の目的が一挙に達成された。
【考案を実施するための最良の形態】
【０００６】
図１から図５に示すように、本考案にはフィルム投入台１０を具有し、該投入台１０には転写フィルム（図中なし）を投入する水平状のローラ１１が複数組設けられており、且つ該ローラ１１の片側には液圧シリンダ１４（若しくは気圧シリンダ）が設けられて上下に昇降する棒１２をコントロールするものとし、該スクラッチバーホルダ１２上にスクラッチバー１３が可動な状態で装入されることにより、該スクラッチバー１３の高さを調整するのを容易にし、下方より通過する転写フィルムに接触し易くする。
ベルトコンベア１５においては、該スクラッチバー１３の他の側に設けられており、該スクラッチバー１３を通過した転写フィルムを運んで前進させ、他方の側の水槽２０中に進入させるものとする。
該水槽２０においては、該ベルトコンベア１５の片側に接続されることで該転写フィルムを該水槽２０中に進入し易くし、また最上部には突起したような断面形状を呈したレール２１が設けられる。
【０００７】
被加工物投入装置３０においては、その周縁に円周運動をする被加工物を運ぶベルトコンベア（図中なし）が設けられることで、該ベルトコンベア上に掛けられた被加工物を順に該水槽２０中に浸して該転写フィルムの転写加工操作を受ける。該被加工物投入装置３０下方には滑車３２を具有する滑車フレーム３１が設けられており、該滑車３２は該レール２１に対応した断面形状を呈していることより、該滑車３２は該水槽２０のレール２１上に跨設されて往復移動できるようになる。該滑車フレーム３１上方には上下に昇降する昇降台３３が設けられており、これらの間には複数の同時に回転するボルト３４が設けられており、チェーン３５と共に駆動して回転し、また該チェーン３５は操作棒３６によって該チェーン３５を回転させる。
【０００８】
第一転向座４０においては、該昇降台３３上に固定されており、第一調整棒４１によって該転向座４０が左右両方向に往復して移動させることで、角度を調整するものとする。
第二転向座４２においては、該第一転向座４０上に設けられており、第二調整棒４４によって該第二転向座４２を前後両方向に往復して移動させることで、角度を調整する。よって該第二転向座４２と上述の第一転向座４０とはちょうど交差した状態となり、各方向に角度を傾斜させることができるようになる。更に上方には更に該被加工物投入装置３０と相互に固定される連結部４３が延伸していることで、該被加工物投入装置３０が該第二転向座４２に伴って同時に動作するようにする。
該水槽２０上には更にメジャー２２を設けてもよく、こうすることでは距離の正確さを高める目的を達成する。
【０００９】
上述の構造により、該被加工物の体積や形状に応じ、該被加工物投入装置３０を該水槽２０中の高さ並びに左右、前後の傾斜角度を調整した後、該転写フィルムを該水槽２０に進入させ、正確にその図案を該被加工物上に転写することができるようにする。また該被加工物が該被加工物投入装置３０上のベルトコンベア（図中なし）の動きを受けて前進するとき、作業員は該転写後に直接該被加工物を該被加工物投入装置３０のベルトコンベア上より取り上げ、次の被加工物を掛けるとことで連続した自動転写加工操作が実現する。
【図面の簡単な説明】
【００１０】
【図１】本考案における立体外観図である。
【図２】本考案におけるフィルム投入台の局部構造説明図である。
【図３】本考案における水槽の断面構造図である。
【図４】本考案における被加工物投入装置の構造説明図である。
【図５】本考案における被加工物投入装置の傾斜角度調整構造を示す図である。
【符号の説明】
【００１１】
１０  フィルム投入台
１１  ローラ
１２  スクラッチバーホルダ
１３  スクラッチバー
１４  液圧シリンダ
１５  ベルトコンベア
２０  水槽
２１  レール
２２  メジャー
３０  被加工物投入装置
３１  滑車フレーム
３２  滑車
３３  昇降台
３４  ボルト
３５  チェーン
３６  操作棒
４０  第一転向座
４１  第一調整棒
４２  第二転向座
４３  連結部
４４  第二調整棒
【図１】
0003102876.tif 000003
【図２】
0003102876.tif 000004
【図３】
0003102876.tif 000005
【図４】
0003102876.tif 000006
【図５】
0003102876.tif 000007